(57)【要約】【課題】  切替ツマミを大きくすること無く、隙間の発生を無くすことができる切替スイッチを備えた漏電検知機能付き遮断器を提供する。【解決手段】  スライドスイッチ１１は、遮断器ケース７に設けられた操作窓８から露出する切替ツマミ１５ａとスライドスイッチ１１を覆うスカート板１５ｂとを有する操作部材１５により覆われて成り、操作部材１５は切替ツマミ１５ａを挿通する挿通孔１６ａが設けられた目隠し板１６を介して遮断器ケース７の裏面に配置され、目隠し板１６に形成された挿通孔１６ａは切替ツマミ１５ａより所定量大きく形成され、切替ツマミ１５ａの切替操作時の移動量に対して目隠し板１６の移動量を小さくした。【選択図】  図６
2017139131.tif 000002
【特許請求の範囲】
【請求項１】
漏電感度、遮断動作時間のうちの少なくとも一方を切り替えるためのスライドスイッチを実装した漏電検知機能付き遮断器であって、
前記スライドスイッチは、遮断器ケースに設けられた操作窓から露出する切替ツマミとスライドスイッチを覆うスカート板とを有する操作部材により覆われて成り、
前記操作部材は、前記切替ツマミを挿通する挿通孔が設けられた目隠し板を介して遮断器ケース裏面に配置され、
前記目隠し板に形成された前記挿通孔は、前記切替ツマミより所定量大きく形成され、前記切替ツマミの切替操作時の移動量に対して前記目隠し板の移動量が小さいことを特徴とする漏電検知機能付き遮断器。
【請求項２】
遮断器ケースには、移動する目隠し板に接触して目隠し板の移動を制限する規制突起が設けられてなることを特徴とする請求項１記載の漏電検知機能付き遮断器。
【発明の詳細な説明】
【技術分野】
【０００１】
本発明は漏電遮断器や漏電警報付き遮断器等の漏電検知機能付き遮断器に関し、特に漏電検出感度等を切り替える切替スイッチを備えた漏電検知機能付き遮断器に関する。
【背景技術】
【０００２】
漏電遮断器や漏電警報付き遮断器には、漏電検出感度を切り替えたり遮断動作時間を切り替えるための切替スイッチを備えたものがある。例えば特許文献１では、操作ハンドルに隣接する遮断器ケース上面に、感度切替スイッチと動作時間スイッチの双方を配置た漏電遮断器が開示されている。
【先行技術文献】
【特許文献】
【０００３】
【特許文献１】特開２００８−２０４７１４号公報
【発明の概要】
【発明が解決しようとする課題】
【０００４】
このような漏電検知機能を備えた遮断器に設けられた切替スイッチは、限られたスペースに組み付けられるため、小型で単純な構造のスライドスイッチが使用されている。一方、遮断器ケースには、スライドスイッチを操作する切替ツマミを露出させる開口部が設けられているだけであり、この開口部を介して切替ツマミをスライド操作すると開口部の端部に隙間が発生して内部のスライドスイッチや基板が露出する場合があった。
【０００５】
この隙間の発生は好ましくなく、操作時に発生する静電気で露出した電子部品は基板が破壊される場合があったし、塵が侵入して誤動作の原因となってしまう。このような問題は、切替ツマミの下部を周囲に広げたスカート板を設けることで、切替ツマミをスライドさせても隙間が発生しないよう構成することは可能であるが、スカート板を隙間の発生しない十分な広さとするには、スライドスイッチ上に広い設置空間が必要となり、遮断器ケースの小型化には不向きな構成であった。
【０００６】
そこで、本発明はこのような問題点に鑑み、切替ツマミのスカート板を大きくすること無く、切替ツマミ周囲に隙間が発生することがない切替スイッチを備えた漏電検知機能付き遮断器を提供することを目的としている。
【課題を解決するための手段】
【０００７】
上記課題を解決する為に、請求項１の発明は、漏電感度、遮断動作時間のうちの少なくとも一方を切り替えるためのスライドスイッチを実装した漏電検知機能付き遮断器であって、スライドスイッチは、遮断器ケースに設けられた操作窓から露出する切替ツマミとスライドスイッチを覆うスカート板とを有する操作部材により覆われて成り、操作部材は、切替ツマミを挿通する挿通孔が設けられた目隠し板を介して遮断器ケース裏面に配置され、目隠し板に形成された挿通孔は、切替ツマミより所定量大きく形成され、切替ツマミの切替操作時の移動量に対して目隠し板の移動量が小さいことを特徴とする。
この構成によれば、切替ツマミのスライド量に対して目隠し板の移動量を小さくできるため、スライドスイッチのスライド方向に対応する目隠し板の幅を、スライド量を加味して操作窓より十分大きく形成しなくても、スライド操作した際に目隠し板の作用で操作窓に隙間が発生しないよう構成できる。よって、限られたスペースであっても操作窓を良好に閉塞でき、内部の電子部品を操作時の静電気等から保護できる。そして、スカート板は目隠し板の挿通孔を閉塞する広さを有していれば良く、小さくできる。
【０００８】
請求項２の発明は、請求項１に記載の構成において、遮断器ケースには、移動する目隠し板に接触して目隠し板の移動を制限する規制突起が設けられてなることを特徴とする。
この構成によれば、目隠し板の移動は操作部材のスライド量に拘わらずリブにより制限されるため、最低限の大きさで済み、占有スペースを最小限にできる。
【発明の効果】
【０００９】
本発明によれば、切替ツマミのスライド量に対して目隠し板の移動量を小さくできるため、スライドスイッチのスライド方向に対応する目隠し板の幅を、スライド量を加味して操作窓より十分大きく形成しなくても、スライド操作した際に目隠し板の作用で操作窓に隙間が発生しないよう構成できる。よって、限られたスペースであっても操作窓を良好に閉塞でき、内部の電子部品を操作時の静電気等から保護できる。スカート板は目隠し板の挿通孔を閉塞する広さを有していれば良く、小さくできる。
【図面の簡単な説明】
【００１０】
【図１】本発明に係る漏電検知機能付き遮断器の一例を示す斜視図である。
【図２】（ａ）は平面図、（ｂ）はＡ−Ａ線断面図である。
【図３】漏電検知機能付き遮断器の分解図であり、スライドスイッチ部の構成を示している。
【図４】Ｃ部拡大図である。
【図５】目隠し板の斜視図である。
【図６】Ｂ部拡大図で、スライドスイッチを中央に配置した状態を示している。
【図７】スライドスイッチを一方にスライドさせたＢ部拡大図である。
【図８】スライドスイッチを他方にスライドさせたＢ部拡大図である。
【発明を実施するための形態】
【００１１】
本発明を具体化した実施の形態を、図面を参照して詳細に説明する。図１，図２は本発明に係る漏電検知機能付き遮断器の一例を示し、三相電路に使用する漏電警報付き遮断器を示している。図１は斜視図、図２（ａ）は平面図、図２（ｂ）はＡ−Ａ線断面図であり、１は電源側端子、２は負荷側端子、３は接続／遮断操作する操作ハンドル、４は漏電機能をテストする漏電テストボタン、５は漏電遮断感度を切り替える感度切替スイッチ、６は漏電遮断時間を切り替える動作時間切替スイッチである。操作ハンドル３は遮断器ケース７の上面略中央に配置され、その近傍に感度切替スイッチ５と動作時間切替スイッチ６とが隣接して配置されている。両スイッチ５，６は、遮断器ケース７に開口形成した操作窓８（第１操作窓８ａ，第２操作窓８ｂ）に、切替ツマミ（図４に示す）を露出させて構成されている。
【００１２】
また、図３はケース上７ａとケース下７ｂとからなる遮断器ケース７を開けてスライドスイッチを露出させた分解図、図４はＣ部拡大図であり、感度切替スイッチ５及び動作時間切替スイッチ６の構造を示している。尚、感度切替スイッチ５、動作時間切替スイッチ６は同一の構造である。
【００１３】
以下、感度切替スイッチ５、動作時間切替スイッチ６の構造を中心に説明する。両切替スイッチ５，６は内部にスライドスイッチ１１（１１ａ，１１ｂ）を有して構成され、図４に示すようにスライドスイッチ１１は基板１２に組み付けられている。
そして、図４に示すように、スライドスイッチ１１の上に遮断器ケース７の操作窓８から操作するための操作部材１５が載置され、更にその上であって遮断器ケース７の背部に位置する部位に目隠し板１６が配置されて構成されている。図５はこの目隠し板１６を拡大した斜視図である。
【００１４】
尚、図３において、１８は接点で発生するアークガスから素子を保護するために設けられた遮蔽板であり、スライドスイッチ１１を組み付けた基板１２を覆う様に操作部材１５の上から配置され、開口部１８ａを設けて切替ツマミ１５ａを挿通して上方に露出させている。
【００１５】
操作部材１５は、スライドスイッチ１１のスライド片２１を挟持する係合部１５ｃを下部に備えた板状のスカート板１５ｂの上に切替ツマミ１５ａが突設されて形成されている。スカート板１５ｂは、スライドスイッチ１１を覆う広さを有している。こうして、第１操作窓８ａに露出した切替ツマミ１５ｂが感度切替スイッチ５であり、第２操作窓８ｂに露出した切替ツマミ１５ａが動作時間切替スイッチ６である。
【００１６】
目隠し板１６は、スライドスイッチ１１のスライド方向に長く形成され、図５に示すように中央に切替ツマミ１５ａを挿通する挿通孔１６ａを有している。この挿通孔１６ａもスライドスイッチ１１のスライド方向に長く形成され、挿通孔１６ａの長さＷ２（図６に示す）は、後述する切替ツマミ１５ａの幅Ｗ１より所定量広く形成され、切替ツマミ１５ａに対して遊びを設けて形成されている。また、遮断器ケース７の下部空間を埋める厚みＴを有し、隙間が発生しない寸法となっている。
更に両側面には、段部１６ｂが設けられて長手方向両端がフランジ状に拡幅形成されている。この段部１６ｂは、遮断器ケース７側に設けられた規制突起２２（図７に示す）に接触させるために設けられている。
【００１７】
このように構成された切替スイッチ５，６の作用は以下の様である。図６〜図８は感度切替スイッチ５を拡大したＢ部拡大図であり、これらの図を参照して説明する。図６はスライドスイッチ１１のスライド片２１を中央に配置した状態、図７は一方（図示左方向）にスライドさせた状態、図８は他方（図示右方向）にスライドさせた状態を示している。
このように、スライドスイッチ１１は３段階で設定値（ここでは漏電感度）を変更可能としている。尚、切替ツマミ１５ａの操作はドライバー等を使用して左右方向にスライドされる。
【００１８】
図６に示すように、目隠し板１６の挿通孔１６ａの長さＷ２は、切替ツマミ１５ａの幅Ｗ１より所定量大きく形成され、操作窓８の長さＷ３より小さく形成されている。また、目隠し板１６全体の長さＷ５は操作窓８の長さＷ３に対して所定量大きい。具体的に、挿通孔１６ａの長さＷ２は、切替ツマミ１５ａの幅Ｗ１より大きいが、切替ツマミ１５ａの幅Ｗ１にそのスライド幅を加えた長さより小さい。そして、スカート板１５ｂの長さＷ４は、目隠し板１６の長さＷ５より小さい。
【００１９】
また、図６は切替ツマミ１５ａを操作窓８の中央に配置した状態、即ちスライドスイッチ１１が中間位置に配置され、目隠し板１６も中央に配置されて左右に移動可能な自由度を有している状態を示している。この状態では、目隠し板１６により操作窓８は閉塞されて内部の基板１２等が露出することがないし、目隠し板１６の挿通孔１６ａ内の隙間は、スカート板１５ｂにより閉塞される。
【００２０】
次に、図７に示すように切替ツマミ１５ａを図示左にスライドさせると、スライドスイッチ１１が左側に切替動作する。その際、目隠し板１６も追従して左に移動するが、目隠し板１６の挿通孔１６ａは切替ツマミ１５ａに対して大きいことで、段部１６ｂが遮断器ケース７側に形成された規制突起２２の右端２２ｂに接触して移動が制限される。そして、この状態で目隠し板１６は遮断器ケース７の操作窓８を引き続き閉塞してスライドスイッチ１１を覆う位置にあるため、絶縁距離、絶縁性能を確保することができる。
【００２１】
更に、図８に示すように、切替ツマミ１５ａを中央を通過して右にスライドさせると、スライドスイッチ１１も右側に切替動作する。その際、目隠し板１６も追従して右に移動するが上述したように挿通孔１６ａが切替ツマミ１５ａに対して大きいことで、段部１６ｂが遮断器ケース７の規制突起２２の左端２２ａに接触して移動が制限される。そして、この状態で目隠し板１６は遮断器ケース７の操作窓８を引き続き閉塞してスライドスイッチ１１を覆う位置にあるため、絶縁距離、絶縁性能を確保することができる。
【００２２】
このように、規制突起２２を備えることで切替ツマミ１５ａのスライド量に対して目隠し板１６の移動量を小さくできるため、スライドスイッチ１１のスライド方向に対応する目隠し板１６の長さを、スライド量を加味して操作窓８より十分大きく形成しなくても、スライド操作した際に目隠し板１６の作用で操作窓８に隙間が発生しないよう構成できる。よって、限られたスペースであっても操作窓８を良好に閉塞でき、内部の電子部品を操作時の静電気等から保護できる。
また、スカート板１５ｂは目隠し板１６の挿通孔１６ａを閉塞する広さを有していれば良く、小さくできるし、目隠し板１６の移動は操作部材１５のスライド量に拘わらず規制突起２２により制限されるため、最小の大きさで済み、占有スペースを最小限にできる。
【００２３】
尚、上記実施形態では、目隠し板１６を厚みＴを有する矩形部材としたが、目隠し板１６の厚みは操作部材１５のスカート板１５ｂと遮断器ケース７裏面との間の隙間の大きさにより決定され、隙間が無ければ目隠し板１６はフィルム状の薄い部材となる。
また、外部に漏電発生を通知する機能を備えた漏電警報機能付き遮断器について説明したが、上記切替スイッチの構造は同様の切替スイッチを備えた漏電遮断器に対しても適用できる。
【符号の説明】
【００２４】
５・・感度切替スイッチ、６・・動作時間切替スイッチ、７・・遮断器ケース、８・・操作窓、１１・・スライドスイッチ、１５・・操作部材、１５ａ・・切替ツマミ、１５ｂ・・スカート板、１６・・目隠し板、１６ａ・・挿通孔、１６ｂ・・段部、２２・・規制突起。
【図１】
2017139131.tif 000003
【図２】
2017139131.tif 000004
【図３】
2017139131.tif 000005
【図４】
2017139131.tif 000006
【図５】
2017139131.tif 000007
【図６】
2017139131.tif 000008
【図７】
2017139131.tif 000009
【図８】
2017139131.tif 000010